(57)【特許請求の範囲】
【請求項１】
外部から吸引した空気を排気する本体と、
前記本体から排気された空気をノズルに導くダクトと、
ユーザが着用する衣服内に前記ダクトともに挿入され、前記ダクトによって導かれた空気を放出する前記ノズルと、
前記本体を前記ユーザの腕に装着するための装着部材と、
を備え、
前記ノズルは、
ダクト接続部と、
前記ダクト接続部を介して前記ダクトと連結されるノズル先端部、を有し、
前記ノズル先端部には、
その内部の通風路を分岐する複数の隔壁と、
前記通風路を通過した空気を放出するための開口と、
が設けられている
ことを特徴とする携帯型送風機。
【請求項２】
請求項１に記載の携帯型送風機であって、
前記ノズル先端部の向きは、前記ダクト接続部に対して変更可能である
ことを特徴とする携帯型送風機。
【請求項３】
外部から吸引した空気を排気する本体と、
前記本体から排気された空気をノズルに導くダクトと、
ユーザが着用する衣服内に前記ダクトともに挿入され、前記ダクトによって導かれた空気を放出する前記ノズルと、
前記本体を前記ユーザの腕に装着するための装着部材と、
を備え、
前記ノズルを前記衣服に固定するための、前記ノズルとは別体のノズル止め、を備え、
前記ノズル、及び前記ノズル止めの少なくとも一方には、磁石が設けられており、他方には、磁石または強磁性体が設けられている
ことを特徴とする携帯型送風機。
【請求項４】
請求項１〜３のいずれか一項に記載の携帯型送風機であって、
前記本体は、外部から吸引した空気を排気するシロッコファンまたはターボファンを内蔵する
ことを特徴とする携帯型送風機。
【発明の詳細な説明】
【技術分野】
【０００１】
本発明は、携帯式送風機に関する。
【背景技術】
【０００２】
昨今、特に女性たちの間で小型の扇風機を片手で持ち歩きながら使用するスタイルが流行している。該扇風機を使用している場合、ユーザは片手が扇風機により塞がってしまうので、両手を自由に使うことができない。
【０００３】
この問題を解決するために、例えば、特許文献１には、送風機本体を首から吊り下げ、送風機本体に接続された送風用ノズルを衣類の上前身頃と下前身頃の隙間に挿入して衣類内部に送風を行う装着型送風機が記載されている。
【先行技術文献】
【特許文献】
【０００４】
【特許文献１】特開２０１９−０３９１１９号公報
【発明の概要】
【発明が解決しようとする課題】
【０００５】
引用文献１に記載の装着型送風機によれば、ユーザは装着型送風機を保持する以外の用途に両手を利用することができる。しかしながら、送風機本体を首から吊り下げた状態は見栄えが良いとは言い難い。
【０００６】
本発明は、このような状況に鑑みてなされたものであり、ユーザが両手を使え、且つ、見栄え良く送風を行うことができる携帯型送風機を実現することを目的とする。
【課題を解決するための手段】
【０００７】
本願は、上記課題の少なくとも一部を解決する手段を複数含んでいるが、その例を挙げるならば、以下のとおりである。
【０００８】
上記課題を解決すべく、本発明の一態様に係る携帯型送風機は、外部から吸引した空気を排気する本体と、前記本体から排気された空気をノズルに導くダクトと、ユーザが着用する衣服内に前記ダクトともに挿入され、前記ダクトによって導かれた空気を放出する前記ノズルと、前記本体を前記ユーザの腕に装着するための装着部材と、を備えることを特徴とする。
【０００９】
前記ノズルは、ダクト接続部と、前記ダクト接続部を介して前記ダクトと連結されるノズル先端部と、を有することができ、前記ノズル先端部には、その内部の通風路を分岐する複数の隔壁と、前記通風路を通過した空気を放出するための開口と、を設けることができる。
【００１０】
前記ノズル先端部の向きは、前記ダクト接続部に対して変更可能とすることができる。
【００１１】
前記携帯型送風機は、前記ノズルを前記衣服に固定するための、前記ノズルとは別体のノズル止め、を備えることができ、前記ノズル、及び前記ノズル止めの少なくとも一方には、磁石を設けることができる。
【００１２】
前記本体は、外部から吸引した空気を排気するシロッコファンまたはターボファンを内蔵することができる。
【発明の効果】
【００１３】
本発明によれば、ユーザが両手を使え、且つ、見栄え良く送風を行うことができる携帯型送風機を実現できる。
【００１４】
上記した以外の課題、構成及び効果は、以下の実施形態の説明により明らかにされる。
【図面の簡単な説明】
【００１５】
【図１】図１は、本発明の一実施形態に係る携帯型送風機の構成例を示す図である。
【図２】図２は、本体の外観の一例を示す側面図である。
【図３】図３は、本体の構成例を示す図である。
【図４】図４は、ノズルの内部構造を説明するための図である。
【図５】図５は、ノズル先端部の向きを変更した状態の例を示す図である。
【図６】図６は、携帯型送風機の使用例を示す図である。
【図７】図７は、ノズルの固定方法を説明するための図である。
【図８】図８は、携帯型送風機の他の使用例を示す図である。
【発明を実施するための形態】
【００１６】
以下、本発明に係る一実施形態を図面に基づいて説明する。なお、一実施形態を説明するための全図において、同一の部材には原則として同一の符号を付し、その繰り返しの説明は省略する。また、以下の実施形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。
【００１７】
＜本発明の一実施形態に係る携帯型送風機１０の構成例＞
図１は、本発明の一実施形態に係る携帯型送風機１０の構成例を示している。
【００１８】
携帯型送風機１０は、本体２０、ダクト３０、ノズル３１、及びバンド４０を備える。
【００１９】
本体２０は、内蔵するファン２２（図３）が回転駆動することにより、本体２０の外部から吸引した空気をダクト３０に排気する。本体２０は、その上面にファン２２の駆動をオン、オフするためのオン・オフスイッチ２５、及びファン２２の回転速度を変更して風量を調整するための風量調整スイッチ２６が設けられている。オン・オフスイッチ２５及び風量調整スイッチ２６は、制御ライン（不図示）を介して制御基板２１（図３）に接続されている。なお、オン・オフスイッチ２５及び風量調整スイッチ２６の配置は、本体の上面に限らず、任意の位置に配置することができる。
【００２０】
ダクト３０は、例えば、塩化ビニール等を材料として屈折、伸縮できるように蛇腹状に形成されている。ダクト３０の断面形状は、衣服の内側に配置することを考慮し、その厚み（断面形状の径）が薄くなるように楕円形に形成されている。ただし、ダクト３０の断面形状は、楕円形に限らず、円形、四角形等の任意の形状でもよい。
【００２１】
ダクト３０は、その一端がファン送風口２２１（図３）に接続され、他端にはノズル３１が接続されており、本体２０からの排気をノズル３１に導く。なお、長さが異なるダクト３０を用意し、ノズル３１の配置に適した長さのダクト３０をユーザが選択できるようにしてもよい。また、ダクト３０を複数連結できるようにして、その長さを調整するようにしてもよい。
【００２２】
ノズル３１は、ダクト３０に対して着脱可能である。ノズル３１は、ユーザが着用する衣服の内側に固定することができる（詳細後述）。ノズル３１は、本体２０から排気されてダクト３０によって導かれた空気を放出する。
【００２３】
本体２０に取り付けられたバンド４０は、ユーザの身体（例えば、二の腕）に巻くことにより、本体２０をユーザの身体に装着するためのものである。バンド４０は、その両端に面ファスナ等の固定用部材が設けられている。なお、固定用部材は、面ファスナに限らず、尾錠やバックル等を採用してもよい。バンド４０は、本発明の装着部材に相当する。
【００２４】
次に、図２は、本体２０の外観の一例を示す側面図である。
【００２５】
本体２０には、その側面に充電端子２７及び吸気孔２８が設けられている。充電端子２７には、例えば、ＡＣアダプタ等の電源に接続された充電ケーブル（いずれも不図示）が接続される。これにより、本体２０に内蔵された充電式バッテリ２３を充電することができる。吸気孔２８は、ファン２２（図３）が吸引する空気を本体２０の内部に導入するためのものである。吸気孔２８の位置は任意であり、図示する例に限るものではない。
【００２６】
次に、図３は、本体２０の内部の構成例を示す図である。本体２０は、その内部に制御基板２１、ファン２２、及び充電式バッテリ２３を有する。
【００２７】
制御基板２１は、オン・オフスイッチ２５及び風量調整スイッチ２６に対するユーザからの操作に応じてファン２２の駆動を制御する。
【００２８】
ファン２２は、制御基板２１からの制御に従って回転駆動することにより、吸気孔２８から導入される空気を吸引してファン送風口２２１から排気する。ファン送風口２２１には、ダクト３０が装着される。
【００２９】
ファン２２は、シロッコファン、ターボファン、プロペラファンのいずれを採用してもよい。ファン２２にシロッコファンまたはターボファンを採用した場合、ほぼ同一の直径を有するプロペラファンを採用した場合に比べて、本体２０の厚さを薄くすることができ、より強い風圧で空気を出力することができる。
【００３０】
充電式バッテリ２３は、制御基板２１及びファン２２に対して電力を供給する。充電式バッテリ２３は、充電端子２７に接続された充電ケーブルを介する給電によって充電することができる。充電式バッテリ２３は、本体２０から取り外して充電できるようにしてもよい。また、充電式バッテリ２３の代わりに市販の乾電池を利用できるようにしてもよい。
【００３１】
次に、図４は、ノズル３１の内部構造の一例を示しており、同図（Ａ）は断面図、同図（Ｂ）は空気を放出する面の側面図である。ノズル３１は、ノズル先端部３１１及びダクト接続部３１２からなる。ノズル先端部３１１は、その内部に通風路としての空間が設けられており、一方の側面（図面下側）がダクト接続部３１２と軸状のジョイント部３１４を介して回動自在に連結され、他方の側面（図面上側）には開口３１５が設けられている。ノズル先端部３１１の内部には、通風路を複数に分岐し、入力側（図面下側）から出力側（図面上側）に向かって広げて配置された複数の隔壁３１３が形成されている。これにより、ノズル先端部３１１は、隔壁３１３を設けていない状態に比べて、ダクト３０により導かれた空気の放出方向を広げて放出することが可能となる。
【００３２】
また、ノズル先端部３１１の外形は、ユーザの肌や衣服に引っ掛かりにくいよう角部が丸く形成されている。
【００３３】
次に、図５は、ノズル先端部３１１の向きをダクト接続部３１２に対して変更した状態の例を示す図である。ユーザは、ダクト接続部３１２に対するノズル先端部３１１の向きを例えば、同図（Ａ）に示された状態から同図（Ｂ）に示された状態まで無段階で変更することができる。よって、ユーザは、ノズル先端部３１１を任意の方向に向けて送風を行うことができる。なお、同図の場合、ノズル先端部３１１は、ダクト接続部３１２に対して、ジョイント部３１４を軸として２次元的にその向きを変更できるようになされているが、ジョイント部３１４を球状に変更し、ノズル先端部３１１を、ダクト接続部３１２に対して３次元的にその向きを変更できるようにしてもよい。
【００３４】
＜携帯型送風機１０の使用例＞
次に、図６は、携帯型送風機１０の使用例を示す図である。同図において、ユーザは半袖の衣服５０を着用し、携帯型送風機１０の本体２０、ダクト３０、及びノズル３１が外見上、見えにくいように衣服５０の内側に装着している。例えば、ユーザが衣服５０の下に下着を着用している場合、本体２０は下着の外側に装着してもよいし、下着の内側の素肌に装着してもよい。
【００３５】
同図の場合、携帯型送風機１０の本体２０は、ユーザの二の腕にバンド４０を巻き付けて装着されており、ダクト３０及びノズル３１は、衣服５０の中に挿入され、ノズル３１は、胸の下辺付近に下向きで配置されている。ノズル３１を配置する際は、ダクト３０を伸縮させたり、屈曲させたりしてノズル３１の位置及び向きを調整することができる。これにより、ユーザは、衣服５０の内部に送風を行うことができる。
【００３６】
なお、本体２０の装着位置は二の腕に限らず任意であり、例えば、手首や足首に装着したり、腰に巻かれているベルトに装着したりしてもよい。また、ノズル３１の配置についても任意であり、必要に応じて、長さが異なるダクト３０に変更したり、複数のダクト３０を連結したりしてもよい。
【００３７】
ノズル３１をユーザが着用する衣服５０に対して固定するには、ノズル３１にクリップ、安全ピン、磁石等を設ける方法が考えられる。これにより、ユーザは、ノズル３１を任意の位置、向きで固定することができる。
【００３８】
図７は、磁石を利用してノズル３１を衣服５０に固定する方法を説明するための図である。
【００３９】
磁石を利用する場合、ノズル止め５１を用い、ノズル先端部３１１及びノズル止め５１の少なくとも一方に磁石を設ければよい。例えば、ノズル止め５１に磁石を設け、ノズル先端部３１１には、磁石に付着する鉄等の強磁性体を設けるか、または、その逆でもよい。ノズル先端部３１１及びノズル止め５１の両方に磁石を採用する場合、それぞれに極性が異なる磁石を取り付ければよい。あるいは、ダクト接続部３１２またはダクト３０に、磁石または強磁性体を設けるようにしてもよい。
【００４０】
同図（Ａ）は、ノズル先端部３１１に磁石（または強磁性体）３１６を設けた状態の一例を示している。同図（Ｂ）は、ノズル止め５１の外側に磁石（または強磁性体）５１１を設けた状態の一例を示している。同図（Ｃ）は、ノズル止め５１の内側に磁石（または強磁性体）５１１を設けた状態の一例を示している。
【００４１】
固定方法については、同図（Ｄ）に示されるように、衣服５０の内側に配置したノズル先端部３１１の位置に合わせて、衣服５０の外側にノズル止め５１を配置し、ノズル先端部３１１とノズル止め５１とを磁力により衣服５０を挟んで付着させればよい。
【００４２】
なお、衣服５０の外側に配置するノズル止め５１は、例えば、衣服に用いるボタンに似せて目立たないデザインを採用してもよいし、反対にブローチ等のアクセサリとしても利用できるような目立つデザインを採用してもよい。
【００４３】
次に、図８は、携帯型送風機１０の他の使用例を示す図である。同図の場合、携帯型送風機１０の本体２０は、ユーザの二の腕にバンド４０を巻き付けて装着されており、ダクト３０及びノズル３１は、衣服５０の中に挿入され、ノズル３１は、ノズル止め５１を用いて首元付近に上向きで配置されている。これにより、ユーザは、首や顔等に向けて送風を行うことができる。
【００４４】
以上に説明した携帯型送風機１０によれば、ユーザが両手を使うことができる。また、携帯型送風機１０によれば、外見上は本体２０、ダクト３０、及びノズル３１が見えにくいので、見栄え良く衣服５０の内部、ユーザの首や顔等に送風を行うことができる。
【００４５】
さらに、携帯型送風機１０によれば、専用の衣服を用いることなく、任意の衣服を着用した状態で、衣服の内部に送風を行うことができる。
【００４６】
本明細書に記載された効果はあくまで例示であって限定されるものではなく、他の効果があってもよい。
【００４７】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【符号の説明】
【００４８】
１０・・・携帯型送風機、２０・・・本体、２１・・・制御基板、２２・・・ファン、２３・・・充電式バッテリ、２５・・・オン・オフスイッチ、２６・・・風量調整スイッチ、２７・・・充電端子、２８・・・吸気孔、３０・・・ダクト、３１・・・ノズル、４０・・・バンド、５０・・・衣服、５１・・・ノズル止め、２２１・・・ファン送風口、３１１・・・ノズル先端部、３１２・・・ダクト接続部、３１３・・・隔壁、３１４・・・ジョイント部、３１５・・・開口、３１６，５１１・・・磁石（または強磁性体）
【要約】      （修正有）【課題】ユーザが両手を使え、且つ、見栄え良く送風を行うことができる携帯型送風機を提供する。【解決手段】携帯型送風機は、外部から吸引した空気を排気する本体と、前記本体から排気された空気をノズル３１に導くダクト３０と、ユーザが着用する衣服内に前記ダクト３０とともに挿入され、前記ダクト３０によって導かれた空気を放出する前記ノズル３１と、前記本体を前記ユーザの腕に装着するための装着部材と、を備えることを特徴とする。【選択図】図５【図１】
0006749664.tif 000002
【図２】
0006749664.tif 000003
【図３】
0006749664.tif 000004
【図４】
0006749664.tif 000005
【図５】
0006749664.tif 000006
【図６】
0006749664.tif 000007
【図７】
0006749664.tif 000008
【図８】
0006749664.tif 000009